(57)【要約】      （修正有）【課題】ドリンクキャップ上に他のカップを搭載できるような容器トレー付きドリンクキャップを提供する。【解決手段】ドリンクキャップの上部に、トレー部側面内壁１１とトレー部底面１２からなる他の容器が搭載可能なトレー部を設ける。また、トレー部とドリンクキャップ外縁の間の周辺上面部にストロー穴を設けられる幅をとり、また、トレー部外壁とドリンクカップ内壁との間にストローの通るスペース１３を設ける。【選択図】図３
0003160594.tif 000002
【実用新案登録請求の範囲】
【請求項１】
プラスティックや紙等でできた、広口で円筒形のドリンクカップにかぶせるドリンクキャップ（上ぶた）において、そのドリンクキャップの上部に他のカップなどの容器を搭載することができるくぼみ（トレー部）が設けられていることを特徴とする容器トレー付きドリンクキャップ。
【請求項２】
前記容器トレー付きドリンクキャップにおいて、上面のキャップ外縁とトレー部の間にはストロー穴を設けられる幅があり、また、その幅によりトレー部外壁とそれとほぼ平行しているドリンクカップ内壁との間にストローが通るスペースが確保されていることを特徴とする請求項１記載の容器トレー付きドリンクキャップ。
【考案の詳細な説明】
【技術分野】
【００１】  本発明は上部に他の容器を搭載できるくぼみ（トレー部）とストロー穴を備えるドリンクキャップに関するものである。
【技術背景】
【００２】  ドリンクカップのふたとしてのドリンクキャップ（プラスチックカップ等の上面全体にかぶせる主にプラスチック製の上ぶた）は、ドリンクのこぼれ防止、不純物の混入防止、保冷、保温の効果を持つものとしてすでに一般的に広く汎用され、公知のものとなっている。又、その上面には通常ストロー穴があり、そこからストローを通してカップ内のドリンクを飲用することができるが、この事も、一般的に広く知られている。
【先行技術文献】
【特許文献】
【００３】  本発明の改良の対象であるドリンクキャップは、広いのみ口を持つ円筒状のプラスチック製のカップなどにかぶせる上部全体を覆う円盤形のものであるが、広く汎用され、一般に公知のものとなっており、また構造も単純であるため、特筆すべき該当文献なし。
【非特許文献】
【００４】  本発明の改良の対象であるドリンクキャップは、広いのみ口を持つ円筒状のプラスチック製のカップなどにかぶせる上部全体を覆う円盤形のものであるが、広く汎用され、一般に公知のものとなっており、また構造も単純であるため、特筆すべき該当文献なし。
【考案の概要】
【考案が解決しようとする課題】
【００５】  ドリンクキャップ（広いのみ口を持つ円筒状のプラスチック製のカップなどにかぶせる上部全体を覆う円盤形のもの）は、広く利用されているが、ドリンクと一緒にデザートあるいはスナック等を食す機会は多く、それらの入ったカップ等を運ぶ際には、両手を使ったり、それら両方のカップを載せることができる盆やトレーを利用する必要があり、またそれらを定置する場合においても、その両方を定置できる一定のスペースが必要であり、例えばカップホルダーが一つしかない映画館の座席等においては、ドリンクの入ったカップとスナック等の入ったカップを同時に定置することはできず、不便を感じることが多くある。
【課題を解決するための手段】
【００６】  そこで本考案は、以上の課題を解決すべく、ドリンクカップにかぶせるドリンクキャップの上に他のカップを搭載できるような容器トレー付きドリンクキャップを提供することを目的とした。【００７】  本考案はドリンクキャップの上部に他の容器が搭載可能なくぼみ（トレー部）を設けたことを特徴とする。【００８】  またそのトレー部とキャップ外辺の間にストロー穴を設けられる幅をとり、トレー部とドリンクカップの間にストローの通るスペースを設けたことを特徴とする。【００９】  さらにドリンクキャップ全体を、トレー部に搭載するカップ及びその中に入るデザートやスナックの重みに耐えうるような十分な厚みと強度のあるプラスチック等の素材で形成するとともに、キャンプのドリンクキャップへの接合強度を増すために、突起等の固定強化箇所をキャップにほどこすことが望ましい。【０１０】  また、本発明に係る容器トレー付きドリンクキャップを取り付けるドリンクカップには、ドリンクキャップ及びその上に搭載するカップとその内容物であるデザート・スナック等の重さに耐える十分な強度を持ち、また転倒防止のために、底面が広く安定性のあるドリンクカップを使用し、また、十分な長さのストローを使用することが望ましい。
【考案の効果】
【０１１】  以上の本考案の特徴により、本発明に係る容器トレー付きドリンクキャップを使用することによって、ドリンクカップの上に、本発明に係る容器トレー付きドリンクキャップを介してデザート等の入った他のカップを搭載することが可能になり、その状態で二つのカップを同時に片手で持ったり、運んだり、また、一つのカップホルダー等の狭い場所に同時に二つのカップを定置することができ、また、上にデザート等の内容物の入った他のカップを搭載した状態で、ストローを介して下のドリンクカップ内のドリンクを飲用することができるようになる。【０１２】  以上によって、本考案の解決しようとする課題が解決されドリンクやデザートを飲食する際の利便性が向上し、さらに新たな形態での飲食物等の提供に寄与する可能性を開くことができる。
【図面の簡単な説明】
【０１３】
【図１】本発明に係る容器トレー付きドリンクキャップの一例を上面から見た概略図である。
【図２】本発明に係る容器トレー付きドリンクキャップの一例を斜め上から見た概略図である。
【図３】本発明に係る容器トレー付きドリンクキャップの一例をドリンクカップにはめ込んだ状態の概略垂直断面図である。
【図４】本発明に係る容器トレー付きドリンクキャップの一例を使用した具体例の概略図であり、ドリンクカップにはアイスティーが、容器トレー付きドリンクキャップに搭載されたカップにはフルーツゼリーが入っている。
【実施例】
【０１４】  以下に本発明に係る容器トレー付きドリンクキャップの実施例を図１乃至図４にもとづいて説明する。【０１５】  図１は本発明に係る容器トレー付きドリンクキャップ（透明プラスチック製）の一例を上面からみた概略図であり１はトレー部側面内壁、２はトレー部底面、３はストロー穴であり、４のトレー周辺上面部の幅はストロー穴を設けられるようにする。５はカップのふちが入る上に出張った溝である。６はキャップのドリンクカップへの接合性を高めるくぼみであり下方向に出張っている。【０１６】  図２は本発明に係る容器トレー付きドリンクキャップの一例を斜め上から見た概略図であり、７はトレー部側面内壁、８はトレー部底面、９はキャップのドリンクカップへの接合性を高めるくぼみであり、１０はキャップの外周に断続的に連なっているキャップの外れ防止の溝である。【０１７】  図３は、本発明に係る容器トレー付きドリンクキャップの一例を、ドリンクカップにはめこんだ状態の概略垂直断面図であり、１１はトレー部側面内壁、１２はトレー部底面、１３はストローの通るスペース、１４はストロー穴を設ける周辺上面部、１５はキャップのドリンクカップへの接合性を高めるくぼみであり、１６はキャップの外れ防止の溝で内側に出張っている。１７はドリンクカップのふちであり、本発明にかかる容器トレー付ドリンクキャップを使用する際には図のようにふちが外側に張り出しているドリンクカップを使用することが、キャップの固定が良く、望ましいが、接着テープなどを利用しても良い。１８はドリンクカップのふちが入ってキャップの固定度を高めるキャップ外縁部にある上に出張った溝である。【０１８】  図４はドリンク（アイスティー）１９入りのドリンクカップ２０に本発明に係る容器トレー付きドリンクキャップの一例２１をかぶせ、そのトレーにデザート（フルーツゼリー）２２の入ったカップ２３を搭載した具体例を斜め上から見た概略図であり、ストロー２４がストロー穴２５からストローの通るスペース２６を通ってドリンク内に至っている。なお、上に搭載するカップの安定性をさらに高めるために接着テープ２７を貼ったり、ドリンクキャップトレー部内壁に凹面（図省略）を、上に載せるカップ外壁に凸面（図省略）を設けるなどして固定するのも自由であり、有効である。
【図１】
0003160594.tif 000003
【図２】
0003160594.tif 000004
【図３】
0003160594.tif 000005
【図４】
0003160594.tif 000006